(57)【特許請求の範囲】
【請求項１】
空気清浄器及び送風ファンを備え空気清浄運転時及び燃焼暖房運転時の通風経路を共通にした空気清浄機能付き暖房機において、前記空気清浄器を着脱自在に形成してこの空気清浄器の有無を検出する検出手段を設け、燃焼暖房運転時にこの検出手段によって空気清浄器無しが検出された場合に空気清浄器無しの間の時間積算を行う積算手段を設け、この積算時間が所定時間を超えた場合に前記燃焼暖房運転を停止すると共に、前記検出手段によって空気清浄器有りを検出した場合にのみ前記積算手段の積算時間をクリアすることを特徴とする空気清浄機能付き暖房機。
【請求項２】
空気清浄器及び送風ファンを備え空気清浄運転時及び燃焼暖房運転時の通風経路を共通にした空気清浄機能付き暖房機において、前記空気清浄器を着脱自在に形成してこの空気清浄器の有無を検出する検出手段を設け、燃焼暖房運転時にこの検出手段によって空気清浄器無しが検出された場合に空気清浄器無しの間の時間積算を行う積算手段を設け、この積算時間が所定時間を超えた場合に前記燃焼暖房運転を停止すると共に、表示器にエラー表示を行う手段を設け、前記検出手段によって空気清浄器有りを検出した場合にのみ前記積算手段の積算時間をクリアすると共に、エラー表示の解除を行うことを特徴とする空気清浄機能付き暖房機。
【発明の詳細な説明】
【０００１】
【発明の属する技術分野】
本発明は、例えばガスファンヒータ等の燃料燃焼器を備える暖房機に係り、特に空気清浄機能付き暖房機に関する。
【０００２】
【従来の技術】
一般に、空気清浄器を備え空気清浄運転時及び燃焼暖房運転時の通風経路を共通にした空気清浄機能付き暖房機が知られている。
【０００３】
【発明が解決しようとする課題】
この種の従来のものでは、空気清浄器を取り外して燃焼暖房運転した場合に通風経路内の通風抵抗が低下するので、多くの空気が燃焼器に流れ込み当該燃焼器での燃焼状態が不安定になるという問題がある。また、この状態での空気清浄機能付き暖房機の使用では空気清浄の本来機能が発揮されないため、正常機能に戻す必要がある。しかしながら、従来では、空気清浄器無しの状態で暖房運転されていることを使用者に知らしめる手段がない。
【０００４】
そこで、本発明の目的は、上述した従来技術が有する課題を解消し、燃焼状態が不安定なまま、燃焼暖房運転が継続されることがなく、しかも空気清浄器無しの状態で暖房機が運転されていることを使用者に知らしめることができる空気清浄機能付き暖房機を提供することにある。
【０００５】
【課題を解決するための手段】
請求項１記載の発明は、空気清浄器及び送風ファンを備え空気清浄運転時及び燃焼暖房運転時の通風経路を共通にした空気清浄機能付き暖房機において、前記空気清浄器を着脱自在に形成してこの空気清浄器の有無を検出する検出手段を設け、燃焼暖房運転時にこの検出手段によって空気清浄器無しが検出された場合に空気清浄器無しの間の時間積算を行う積算手段を設け、この積算時間が所定時間を超えた場合に前記燃焼暖房運転を停止すると共に、前記検出手段によって空気清浄器有りを検出した場合にのみ前記積算手段の積算時間をクリアすることを特徴とするものである。
【０００７】
請求項３記載の発明は、空気清浄器及び送風ファンを備え空気清浄運転時及び燃焼暖房運転時の通風経路を共通にした空気清浄機能付き暖房機において、前記空気清浄器を着脱自在に形成してこの空気清浄器の有無を検出する検出手段を設け、燃焼暖房運転時にこの検出手段によって空気清浄器無しが検出された場合に空気清浄器無しの間の時間積算を行う積算手段を設け、この積算時間が所定時間を超えた場合に前記燃焼暖房運転を停止すると共に、表示器にエラー表示を行う手段を設け、前記検出手段によって空気清浄器有りを検出した場合にのみ前記積算手段の積算時間をクリアすると共に、エラー表示の解除を行うことを特徴とするものである。
【０００９】
【発明の実施の形態】
以下、本発明の一実施形態を図面に基づいて説明する。
【００１０】
図１において、１は外装ケースを示している。この外装ケース１の内部には燃焼室３が形成され、この燃焼室３にはメーンバーナ５が設けられている。この燃焼室３の外側はシェルタ７によって囲われ、このシェルタ７の天面には温度ヒューズ８、及びハイリミットサーミスタ９が取り付けられている。
【００１１】
このシェルタ７で囲われた室の下部にはクロスフローファンよりなる送風ファン１０が設けられている。このシェルタ７の上方には天板１１が設けられ、この天板１１には操作基板１２が取り付けられている。また、シェルタ７の前方には前パネル１３が設けられ、この前パネル１３の下方には吹出口１４が形成されている。この吹出口１４にはルーバ１５が装着されている。また、外装ケース１の背部には空気の吸込口１６が形成され、この吸込口１６にはエアーフィルタ１７、及び集塵ユニット（空気清浄器）１８が取り付けられている。
【００１２】
この実施形態では、エアーフィルタ１７、及び集塵ユニット（空気清浄器）１８が着脱自在に構成され、吸込口１６の下部には空気清浄器１８の有無を検出するマイクロスイッチ（検出手段）２０が取り付けられている。
【００１３】
このように形成された空気清浄機能付き暖房機では空気清浄運転時及び燃焼暖房運転時の通風経路が共通である。空気清浄運転時及び燃焼暖房運転時のいずれの運転時にあっても、通常図２に示すように、吸込口１６に対して矢印Ａ方向に空気清浄器１８を装着し、且つ空気清浄器１８の外側を押さえるように矢印Ｂ方向にエアーフィルタ１７を装着した状態で運転される。
【００１４】
燃焼暖房運転時にはメーンバーナ５を着火可能な状態にして送風ファン１０を駆動する。するとエアーフィルタ１７及び空気清浄器１８を通じて取り込まれる空気ａ０が燃焼用一次空気ａ１となってメーンバーナ５に供給され、このバーナ５の出口には二次空気ａ２が供給され、これによってメーンバーナ５からのガス燃料が燃焼し燃焼室３に火炎１９が形成される。そして燃焼室３からの燃焼ガスａ３とシェルタ７天面を冷却して流れる空気ａ４とが送風ファン１０に吸い込まれ、吹出口１４を通じて室内に送風される。
【００１５】
空気清浄運転時にはメーンバーナ５を停止し送風ファン１０を駆動する。この場合の通風経路は暖房運転時の経路と同じである。
【００１６】
燃焼暖房運転時には、送風ファン１０が、燃焼量（弱〜強）に応じて回転数制御されており、一定燃焼量に対しては一定回転数に制御されている。しかし、吸込口１６から空気清浄器１８を取り外して運転すると通風経路内の通風抵抗が低下するので、回転数が一定であっても多くの空気がメーンバーナ５に流れ込み当該メーンバーナ５での燃焼状態が不安定になるおそれがある。
【００１７】
これを解消するため、本実施形態では、不安定な燃焼状態が継続されないように、所定時間経過後に暖房機の運転が自動停止される。この制御は、操作基板１２に搭載されたコントローラ（図示せず）が司る。
【００１８】
すなわち、図３に示すように、暖房運転スイッチがオンされた場合であって（Ｓ１）、マイクロスイッチ２０がオンされていない（空気清浄器無し）とき（Ｓ２）、コントローラ（図示せず）に付設されたタイマ（積算手段）が動作し、空気清浄器無しの時間積算が開始される（Ｓ３）。
【００１９】
そして、積算時間が所定時間（例えば２４時間）を超えた場合には（Ｓ４）、燃焼暖房運転が停止されると共に、操作基板１２に接続された操作パネル１２ａ上の表示器（図示せず）にエラーが表示される（Ｓ５）。
【００２０】
これによれば、不安定な燃焼状態が継続されることはなく、「空気清浄器無し」の状態を使用者に知らしめることができる。
【００２１】
ここで、前記タイマによる積算時間を、暖房運転スイッチオフ或いは電源オフによってクリアすることは好ましくない。
【００２２】
この実施形態では、Ｓ２にて、マイクロスイッチ２０がオン（空気清浄器有り）を検出した場合にのみ、前記タイマによる積算時間がリセット（クリア）されると共に、エラー表示の解除が行われる（Ｓ６）。
【００２３】
これによれば、「空気清浄器有り」の状態にならない限り、積算時間がリセットされることがなく、エラー表示が解除されないので、使用者に空気清浄器の有無を確実に知らしめることができる。
【００２４】
なお、操作基板１２に搭載されたコントローラ（図示せず）には、図示を省略したが、ＥＥＰＲＯＭが付設されており、このＥＥＰＲＯＭとの間でデータの授受が行われるので、停電時でも、上述したタイマによる積算時間、或いはエラー表示等が消去されることはない。
【００２５】
以上、一実施形態に基づいて本発明を説明したが、本発明は、これに限定されるものではない。例えば検出手段はマイクロスイッチ２０に限定されるものでなく、種々の変形実施が可能である。
【００２６】
【発明の効果】
これらの発明では、燃焼状態が不安定なまま、燃焼暖房運転が継続されることがなく、しかも空気清浄器無しの状態で暖房機が運転されていることを使用者に確実に知らしめることができる。
【図面の簡単な説明】
【図１】本発明による空気清浄機能付き暖房機の一実施形態を示す断面図である。
【図２】空気清浄器を取り外した状態を示す断面図である。
【図３】処理フローを示すフローチャートである。
【符号の説明】
１  外装ケース
３  燃焼室
１０  送風ファン
１２ａ  操作パネル（表示器）
１４  吹出口
１６  吸込口
１７  エアーフィルタ
１８  集塵ユニット（空気清浄器）
２０  マイクロスイッチ（検出手段）
【図１】
0003905238.tif 000002
【図２】
0003905238.tif 000003
【図３】
0003905238.tif 000004